(57)【特許請求の範囲】
【請求項１】
一側面に出入口を有し、天井部が開閉自在な箱型のペット収容部本体と、
この箱型のペット収容部本体の内面に位置し、前記箱型のペット収容部本体と分離可能に設けられた断熱性の壁体とを有し、
前記断熱性の壁体は、環状筒体であり、
前記箱型のペット収容部本体と前記断熱性の壁体との間に空気層が形成され、
前記箱型のペット収容部本体は、前記天井部と対向する面を底面として自立可能であって、側面の外周形状が一定形状に保持でき、手で押すと前記一定形状が変形する程度に柔らかい素材で形成され、
前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、
この断熱性の底部の外周縁部は、前記断熱性の立設壁部の内壁に当接し、
前記断熱性の底部に対向し、前記断熱性の立設壁部の上方側の開口を断熱性の天井部で覆い、
前記出入口に対応する前記断熱性の壁体の部位は開口し、
前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されている
ことを特徴とするペットハウス。
【請求項２】
一側面に出入口を有し、天井部が開閉自在な箱型のペット収容部本体と、
この箱型のペット収容部本体の内面に位置し、前記箱型のペット収容部本体と分離可能に設けられた断熱性の壁体とを有し、
前記断熱性の壁体は、環状筒体であり、
前記箱型のペット収容部本体と前記断熱性の壁体との間に空気層が形成され、
前記箱型のペット収容部本体は、前記天井部と対向する面を底面として自立可能であって、側面の外周形状が一定形状に保持できない程度に柔らかい素材で形成され、
前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、
この断熱性の底部の外周縁部は、前記断熱性の立設壁部の内壁に当接し、
前記断熱性の底部に対向し、前記断熱性の立設壁部の上方側の開口を断熱性の天井部で覆い、
前記出入口に対応する前記断熱性の壁体の部位は開口し、
前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されている
ことを特徴とするペットハウス。
【請求項３】
一側面に出入口を有し、天井部が開閉自在な箱型のペット収容部本体と、
この箱型のペット収容部本体の内面に位置し、前記箱型のペット収容部本体と分離可能に設けられた断熱性の壁体とを有し、
前記断熱性の壁体は、環状筒体であり、
前記箱型のペット収容部本体と前記断熱性の壁体との間に空気層が形成され、
前記箱型のペット収容部本体は、前記天井部と対向する面を底面として自立不可能であって、側面の外周形状が一定形状に保持できない程度に柔らかい素材で形成され、
前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、
この断熱性の底部の外周縁部は、前記断熱性の立設壁部の内壁に当接し、
前記断熱性の底部に対向し、前記断熱性の立設壁部の上方側の開口を断熱性の天井部で覆い、
前記出入口に対応する前記断熱性の壁体の部位は開口し、
前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されている
ことを特徴とするペットハウス。
【請求項４】
箱型のペット収容部本体は、
底面、正面、右側面、左側面、背面、天井部を有する六面であり、
前記正面と前記天井部との第１の境界部、前記正面と前記右側面との第２の境界部、前記底面と前記右側面との第３の境界部、前記右側面と前記背面との第４の境界部、前記天井部と前記背面との第５の境界部は、スライドファスナーにより、一連に接離自在に構成され、
断熱性の立設壁部を除去した状態にあって、
前記スライドファスナーにより、前記第２の境界部、前記第３の境界部及び前記第４の境界部を離間させ、前記右側面を前記底面の側から前記天井部の側へ回動して前記右側面を開放させると共に、前記右側面を支持部材により支持して、前記右側面の開放状態を保持する
ことを特徴とする請求項１又は請求項２又は請求項３記載のペットハウス。
【発明の詳細な説明】
【技術分野】
【０００１】
本発明は、ペットハウスに係り、特に、使用勝手の良好なペットハウスに関する。
【背景技術】
【０００２】
従来、例えば、屋内、屋外等に使用されるペットハウスがある（特許文献１参照）。
このペットハウスは、外側にプラスチック板あるいは金属板等、強度の高い外壁（２ａ）、この外壁（２ａ）の内面に、発泡プラスチックあるいはシート等、断熱性のある内壁（２ｂ）を着した二重構造となっている。
【先行技術文献】
【特許文献】
【０００３】
【特許文献１】特許第４２１９７８７号公報
【発明の概要】
【発明が解決しようとする課題】
【０００４】
上記ペットハウスにあっては、外側にプラスチック板あるいは金属板等、強度の高い外壁で構成されているため、例えば、外側を柔らかい素材で構成することができず、制約を受ける分、使用勝手が良好でないという問題点が生じた。
【０００５】
本発明は、前記問題点を考慮してなされたもので、使用勝手を向上させたペットハウスを提供することを目的とする。
【課題を解決するための手段】
【０００６】
請求項１記載のペットハウスは、一側面に出入口を有し、天井部が開閉自在な箱型のペット収容部本体と、この箱型のペット収容部本体の内面に位置し、前記箱型のペット収容部本体と分離可能に設けられた断熱性の壁体とを有し、前記断熱性の壁体は、環状筒体であり、前記箱型のペット収容部本体と前記断熱性の壁体との間に空気層が形成され、前記箱型のペット収容部本体は、前記天井部と対向する面を底面として自立可能であって、側面の外周形状が一定形状に保持でき、手で押すと前記一定形状が変形する程度に柔らかい素材で形成され、前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、この断熱性の底部の外周縁部は、前記断熱性の立設壁部の内壁に当接し、前記断熱性の底部に対向し、前記断熱性の立設壁部の上方側の開口を断熱性の天井部で覆い、前記出入口に対応する前記断熱性の壁体の部位は開口し、前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されているものである。
【０００８】
また、請求項２記載のペットハウスは、一側面に出入口を有し、天井部が開閉自在な箱型のペット収容部本体と、この箱型のペット収容部本体の内面に位置し、前記箱型のペット収容部本体と分離可能に設けられた断熱性の壁体とを有し、前記断熱性の壁体は、環状筒体であり、前記箱型のペット収容部本体と前記断熱性の壁体との間に空気層が形成され、前記箱型のペット収容部本体は、前記天井部と対向する面を底面として自立可能であって、側面の外周形状が一定形状に保持できない程度に柔らかい素材で形成され、前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、この断熱性の底部の外周縁部は、前記断熱性の立設壁部の内壁に当接し、前記断熱性の底部に対向し、前記断熱性の立設壁部の上方側の開口を断熱性の天井部で覆い、前記出入口に対応する前記断熱性の壁体の部位は開口し、前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されているものである。
【０００９】
また、請求項３記載のペットハウスは、一側面に出入口を有し、天井部が開閉自在な箱型のペット収容部本体と、この箱型のペット収容部本体の内面に位置し、前記箱型のペット収容部本体と分離可能に設けられた断熱性の壁体とを有し、前記断熱性の壁体は、環状筒体であり、前記箱型のペット収容部本体と前記断熱性の壁体との間に空気層が形成され、前記箱型のペット収容部本体は、前記天井部と対向する面を底面として自立不可能であって、側面の外周形状が一定形状に保持できない程度に柔らかい素材で形成され、前記断熱性の壁体は、前記箱型のペット収容部本体の内側面に対向して設けられ、両端が開口し、自立可能な断熱性の立設壁部と、この断熱性の立設壁部の内側に位置して底部を形成する断熱性の底部を有し、この断熱性の底部の外周縁部は、前記断熱性の立設壁部の内壁に当接し、前記断熱性の底部に対向し、前記断熱性の立設壁部の上方側の開口を断熱性の天井部で覆い、前記出入口に対応する前記断熱性の壁体の部位は開口し、前記断熱性の立設壁部の外壁は、前記箱型のペット収容部本体の内側面に対向し、この箱型のペット収容部本体の内側面と前記断熱性の立設壁部の外壁とが、面状ファスナにより脱着可能に連結されているものである。
【００１５】
また、請求項４記載のペットハウスは、請求項１又は請求項２又は請求項３記載のペットハウスにおいて、箱型のペット収容部本体は、底面、正面、右側面、左側面、背面、天井部を有する六面であり、前記正面と前記天井部との第１の境界部、前記正面と前記右側面との第２の境界部、前記底面と前記右側面との第３の境界部、前記右側面と前記背面との第４の境界部、前記天井部と前記背面との第５の境界部は、スライドファスナーにより、一連に接離自在に構成され、断熱性の立設壁部を除去した状態にあって、前記スライドファスナーにより、前記第２の境界部、前記第３の境界部及び前記第４の境界部を離間させ、前記右側面を前記底面の側から前記天井部の側へ回動して前記右側面を開放させると共に、前記右側面を支持部材により支持して、前記右側面の開放状態を保持するものである。
【発明の効果】
【００１８】
また、請求項１記載のペットハウスによれば、天井部と対向する面を底面として自立可能であって、側面の外周形状が一定形状に保持でき、手で押すと前記一定形状が変形する程度に柔らかい素材で形成された箱型のペット収容部本体を面状ファスナ、断熱性の底部を介して断熱性の立設壁部の外壁により、箱型のペット収容部本体の側面の外周形状を一定形状に保持することができる。
【００１９】
また、請求項２記載のペットハウスによれば、天井部と対向する面を底面として自立可能であって、側面の外周形状が一定形状に保持できない程度に柔らかい素材で形成された箱型のペット収容部本体を面状ファスナ、断熱性の底部を介して断熱性の立設壁部の外壁により、箱型のペット収容部本体の側面の外周形状を一定形状に保持することができる。
【００２０】
また、請求項３記載のペットハウスによれば、天井部と対向する面を底面として自立不可能であって、側面の外周形状が一定形状に保持できない程度に柔らかい素材で形成された箱型のペット収容部本体を面状ファスナ、断熱性の底部を介して断熱性の立設壁部の外壁により、箱型のペット収容部本体の側面の外周形状を一定形状に保持することができる。
【００２６】
また、請求項４記載のペットハウスによれば、上述した請求項１又は請求項２又は請求項３記載の発明の効果に加え、スライドファスナーにより、第２の境界部、第３の境界部及び第４の境界部を離間させ、右側面を底面の側から天井部の側へ回動して右側面を開放させると共に、右側面を支持部材により支持して、右側面の開放状態を保持することができるため、特に、ペットハウスを屋外で利用した場合、右側面を「ひさし」として、利用することができる。
【図面の簡単な説明】
【００２８】
【図１】図１は、本発明の一実施例のペットハウスの概略的斜視図である。
【図２】図２は、図１のペットハウスを分解して示す概略的分解斜視図である。
【図３】図３は、図１のペットハウスの梱包時又は収納時を示す概略的斜視図である。
【図４】図４は、図２のペットハウスの垂下部材の取り付け状態を示す概略的斜視図である。
【図５】図５は、図１の概略的断面図である。
【図６】図６は、図５の天井部を開いた状態の概略的一部拡大断面図である。
【図７】図７は、図１のペットハウスと異なる他の実施例の概略的斜視図である。
【図８】図８は、図７のペットハウスの蓋部を開けた状態の概略的斜視図である。
【図９】図９は、図７の概略的断面図である。
【図１０】図１０は、図７のペットハウスと異なる他の実施例の概略的斜視図である。
【図１１】図１１は、図１０の概略的断面図である。
【図１２】図１２は、図１０のペットハウスから、断熱性の壁体を除去し、右側面を開けた状態の概略的斜視図である。
【図１３】図１３は、図１０のペットハウスと異なる他の実施例のバッグの概略的斜視図である。
【図１４】図１４は、図１３のバッグの開口部を閉じた状態の概略的斜視図である。
【発明を実施するための形態】
【００２９】
本発明の一実施例のペットハウスを図面（図１乃至図６）を参照して説明する。
図１に示すＰは、屋内又は屋外に配置され、犬等を収容するペットハウスで、ペットハウスＰは、一側面に出入口１２’を有し、天井部１６が開閉自在な箱型のペット収容部本体１と、この箱型のペット収容部本体１の内面に位置し、箱型のペット収容部本体１と分離可能に設けられた断熱性の壁体２とを有し、箱型のペット収容部本体１と断熱性の壁体２との間に空気層３（図５及び図６参照）が形成されている。
【００３０】
箱型のペット収容部本体１は、例えば、化粧シートで構成し、例えば、底面１１、正面１２、右側面１３、左側面１４、背面１５、天井部１６を有する六面を有している。
また、箱型のペット収容部本体１と分離可能に設けられた断熱性の壁体２は、例えば、箱型のペット収容部本体１の内側面に対向して設けられ、両端２Ａ、２Ｂが開口し、自立可能な断熱性の立設壁部２Ｃと、この断熱性の立設壁部２Ｃの内側に位置して底部を形成する断熱性の底部２Ｄ、この断熱性の底部２Ｄに対向し、断熱性の立設壁部２Ｃの上方側の開口２Ａを覆う断熱性の天井部２Ｅを有している。
自立可能な断熱性の立設壁部２Ｃは、例えば、断面四角形の筒体（又は、断面が多角形に限らず、円、楕円をも含む環状筒体）で、断熱性の立設壁部２Ｃ、断熱性の底部２Ｄ及び断熱性の天井部２Ｅは、何れも、図５及び図６に示すように、中央にプラスチック製のダンボール２１、該プラスチック製のダンボール２１の両面にクッション材２２、２３、これらプラスチック製のダンボール、クッション材を保冷・保温シートで覆った覆い部材２４を有し、図１に示す１０は、取っ手である。
【００３１】
上述したペットハウスＰによれば、一側面に出入口１２’を有し、天井部１６が開閉自在な箱型のペット収容部本体１と、この箱型のペット収容部本体１の内面に位置し、箱型のペット収容部本体１と分離可能に設けられた断熱性の壁体２とを有し、箱型のペット収容部本体１と断熱性の壁体２との間に空気層３が形成されているため、外側の箱型のペット収容部本体１と内側の断熱性の壁体２の内、少なくとも、一方で強度を保持すれば良く、外側のみで強度保持を図った従来のペットハウスに比べ、外側の箱型のペット収容部本体１を、例えば、柔らかい素材（例えば、布、より詳しくは、テント生地）等でも使用でき、また、特に、汚れやすい断熱性の壁体２を箱型のペット収容部本体１から分離して、清掃することができると共に、箱型のペット収容部本体１と断熱性の壁体２との間に形成された空気層３により、断熱効果を高めることができ、例えば、箱型のペット収容部本体１又は断熱性の壁体２が損傷した場合、損傷した部位のみを交換して対応することができ、また、例えば、内部の断熱性の壁体２を共通化し、外部の箱型のペット収容部本体１のみ複数用意すれば、多様性のあるペットハウスＰを得ることができ、使用勝手の良好なペットハウスＰを得ることができる。
【００３２】
なお、箱型のペット収容部本体１は、図２に示すように、天井部１６と対向する面を底面１１として自立可能であって、側面の外周形状が一定形状に保持でき、手で押すと前記一定形状が変形する程度に柔らかい素材で形成され、例えば、正面１２、右側面１３、左側面１４、背面１５がピーンと張られた皺のない状態でも良いが、箱型のペット収容部１は、天井部１６と対向する面を底面１１として自立可能であって、側面の外周形状が一定形状に保持できない、例えば、正面１２、右側面１３、左側面１４、背面１５がピーンと張れない皺のある状態程度（図示せず）に柔らかい素材（例えば、布等）で箱型のペット収容部本体１を形成しても良い。
前述した「正面１２、右側面１３、左側面１４、背面１５がピーンと張られた皺のない状態（図２）」、「正面１２、右側面１３、左側面１４、背面１５がピーンと張れない皺のある状態（図示せず）」の場合にあっても、断熱性の壁体２は、箱型のペット収容部本体１の内側面に対向して設けられ、断熱性の壁体２の両端２Ａ、２Ｂが開口し、自立可能な断熱性の立設壁部２Ｃと、この断熱性の立設壁部２Ｃの内側に位置して底部を形成する断熱性の底部２Ｄを有し、この断熱性の底部２Ｄの外周縁部は、断熱性の立設壁部２Ｃの内壁に当接し、断熱性の立設壁部２Ｃの外壁は、箱型のペット収容部本体１の内側面に対向し、この箱型のペット収容部本体１の内側面と断熱性の立設壁部２Ｃの外壁とが、面状ファスナ４、５により脱着可能に連結するようにしている。
【００３３】
このペットハウスＰによれば、天井部１６と対向する面を底面１１１として自立可能であって、側面の外周形状が一定形状に保持できない程度に柔らかい素材で形成された箱型のペット収容部本体１を面状ファスナ４、５、断熱性の底部２Ｄを介して断熱性の立設壁部２Ｃの外壁により、箱型のペット収容部本体１の側面の外周形状を一定形状に保持することができる。
断熱性の立設壁部２Ｃは、自立可能で、断熱性の立設壁部２Ｃの立設方向に平行な折り目２Ｃ１、２Ｃ２（図２参照）が形成されている。この折り目２Ｃ１、２Ｃ２を介して自立可能な断熱性の立設壁部２Ｃは、扁平形状に形成されることができる。また、箱型のペット収容部本体１は、折曲できる程度に柔らかい素材で形成され、折曲されて扁平形状に形成されることができる（図３参照）。
ペットハウスＰの梱包時又は収納時にあっては、図３に示すように、扁平形状に形成された立設壁部２Ｃ、扁平形状に形成された箱型のペット収容部本体１、断熱性の底部２Ｄ、断熱性の天井部２Ｅを積層して、コンパクト化することができる。
【００３４】
なお、図５に示す６は、保冷剤２０又は保温剤（図示せず）を収納する収納部であり、収納部６の開口部６１から、冷気又は暖気が下方へと供給される。
また、図示しないが、断熱性の壁体１の内壁に、必要に応じて、保冷剤（図示せず）又は保温剤（図示せず）を収納するポケット（図示せず）を設け、ポケット（図示せず）から冷気又は暖気を断熱性の壁体２の内方へ供給するようにしても良い。
【００３５】
また、図１及び図３に示す８は垂下部材で、垂下部材８は、箱型のペット収容部本体１の出入口１１を覆うように暖簾状に垂下されたもので、垂下部材８により、ペットの出入りを阻害することなく、箱型のペット収容部本体１の内部から外部又は、外部から内部への熱の出入りを防止することができる。
また、断熱性の壁体２の内壁を消臭生地を使用すれば、ペットハウスＰ内のペットの臭いを消臭生地に吸収させ、臭いの軽減化を図ることができる。
【００３６】
なお、上述の実施例では、箱型のペット収容部本体１は、天井部１６と対向する面を底面１１として自立可能であって、箱型のペット収容部本体１の側面の外周形状が一定形状に保持できる場合、
箱型のペット収容部本体１は、天井部１６と対向する面を底面１１として自立可能であって、側面の外周形状が一定形状に保持できない、例えば、正面１２、右側面１３、左側面１４、背面１５がピーンと張られない皺のある状態程度（図示せず）に柔らかい素材（例えば、布等）で形成した場合について、説明したが、
本願発明は、これに限らず、箱型のペット収容部本体１は、天井部１６と対向する面を底面１１として自立不可能であっても、箱型のペット収容部本体１の内面に位置する断熱性の立設壁部２Ｃが、図２に示すように、自立する場合にあっても適用することができる。この場合にあっても、上述した実施例と同様、天井部１６と対向する面を底面１１として自立不可能な箱型のペット収容部本体１、この自立不可能な箱型のペット収容部本体１と分離可能に設けられた断熱性の壁体２とを有し、自立不可能な箱型のペット収容部本体１と断熱性の壁体２との間に空気層３が形成されている。
【００３７】
また、上述した実施例では、箱型のペット収容部本体１の内面に位置する断熱性の立設壁部２Ｃが、図２に示すように、自立可能となるように形成したが、本願発明にあっては、これに限らず、自立できない断熱性の立設壁部２Ｃであっても良い。
【００３８】
即ち、箱型のペット収容部１は、天井部１６と対向する面を底面１１として自立可能であって、側面の外周形状が一定形状に保持できる程度に硬い素材で形成され、断熱性の壁体２は、箱型のペット収容部１の側面に対向して設けられ、両端が開口し、自立できない断熱性の壁部２と、この自立できない断熱性の立設壁部２Ｃの内側に位置して底部を形成する断熱性の底部２Ｄを有し、この断熱性の底部２Ｄの外周縁部は、自立できない断熱性の立設壁部２Ｃの内壁に当接し、自立できない断熱性の立設壁部２Ｃは、箱型のペット収容部１の内側面に対向し、この箱型のペット収容部本体１の内側面と自立できない断熱性の立設壁部２Ｃとが、面状ファスナ４、５により脱着可能に連結されているようにしても良い。
【００３９】
この上述したペットハウスＰによれば、天井部１６と対向する面を底面１１として自立できない断熱性の立設壁部２Ｃを面状ファスナ４、５、断熱性の底部２Ｄを介して側面の外周形状が一定形状に保持できる程度に硬い素材で形成された箱型のペット収容部本体１により、自立できない断熱性の立設壁部２Ｃを自立状態に保持することができる。
【００４０】
なお、上述の実施例においては、ペットハウスＰの断面形状を四角形としたが、本願発明にあっては、これに限らず、例えば、図７乃至図９記載のようなペットハウスＰの断面形状を五角形としても良い。図７乃至図９記載の実施例については、上述の実施例と同一部分に同一符号を付してその説明を省略する。
【００４１】
また、上述の実施例においては、ペットハウスＰの開口部を天井部１６のみとしたが、本願発明にあっては、これに限らず、例えば、図１２に示すように、右側面１３としても良い。
【００４２】
即ち、図１０乃至図１２に示す箱型のペット収容部本体１は、上述した図１、図２記載と同様、底面１１、正面１２、右側面１３、左側面１４、背面１５、天井部１６を有する六面である。
図１２に示すＡは正面１２と天井部１６との第１の境界部であり、Ｂは正面１２と右側面１３との第２の境界部であり、Ｃは底面１１と右側面１３との第３の境界部であり、Ｄは右側面１３と背面１５との第４の境界部であり、Ｅは天井部１６と背面１５との第５の境界部である。
【００４３】
これら第１の境界部Ａ、第２の境界部Ｂ、第３の境界部Ｃ、第４の境界部Ｄ、第５の境界部Ｅは、スライドファスナーＳ１、Ｓ２により、一連に接離自在に構成されている。
そして、スライドファスナーＳ１、Ｓ２により、第２の境界部Ｂ、第３の境界部Ｃ及び第４の境界部Ｄを離間させ、図１１に示すペットハウスＰから、少なくとも、断熱性の立設壁部２Ｃ、断熱性の天井部２Ｅを除去した状態にあって、右側面１３を底面１１の側から天井部１６の側へ回動して右側面１３を開放させると共に、右側面１３を支持部材７、８により支持して、右側面１３の開放状態を保持するようにする。
その結果、ペットハウスＰを屋外で利用した場合、右側面１３を「ひさし」として、利用することができる。 
【００４４】
また、上述の実施例においては、ペットハウスＰであったが、本願発明にあっては、これに限らず、例えば、図１３及び図１４に示す収容部本体を有するバッグ（例えば、手提げバッグ）Ｐ’であっても良い。
【００４５】
即ち、図１３及び図１４に示すバッグＰ’に収容する物は、ペットに限らず、保冷又は保温する必要があるものであれば良い。
バッグＰ’の収容部本体１’の内面には、上述同様の収容部本体１と分離可能に設けられた断熱性の立設壁部２Ｃ’（断熱性の立設壁部２Ｃ’は、断熱性の立設壁部２Ｃと同様、例えば、中央に図示しないプラスチック製のダンボール、該プラスチック製のダンボールの両面に図示しないクッション材である。）が位置し、収容部本体１’と断熱性の立設壁部２Ｃ’との間に空気層３が形成されるようになっている。図１３に示す２０は、保冷剤（又は保温剤）である。
上述した収容部本体１’と断熱性の立設壁部２Ｃ’との間に形成された空気層３により、断熱効果を高めることができ、収容部本体１’又は断熱性の立設壁部２Ｃ’が損傷した場合、損傷した部位のみを交換して対応することができる。
収容する物がペットの場合には、図１３に示すように、収容部本体１’の上部は開放状態が良いが、収容する物がペットでない、例えば、食料品であれば、図１４に示すようにファスナーＳ１、Ｓ２により閉じるようにする。また、図１３及び図１４に示す１０は、取っ手である。
なお、上述の図１３及び図１４記載の実施例にあっては、バッグの一例として、手提げバッグの例を示したが、本願発明にあっては、これに限らず、本願発明にいう「バッグ」は、中に、ペット等の物を入れるようにした入れ物であり、リュックをも含む広義の「入れ物」である。
【符号の説明】
【００４６】
Ｐ      ペットハウス
１      ペット収容部本体
２      断熱性の壁体
３      空気層
１２’  出入口
１６    天井部
【要約】
【課題】
本発明の目的は、使用勝手を向上させたペットハウスを提供するものである。
【解決手段】
ペットハウスＰは、一側面に出入口１２’を有し、天井部１６が開閉自在な箱型のペット収容部本体１と、この箱型のペット収容部本体１の内面に位置し、箱型のペット収容部本体１と分離可能に設けられた断熱性の壁体２とを有し、箱型のペット収容部本体１と断熱性の壁体２との間に空気層３が形成されているものである。
【選択図】図１【図１】
0006019461.tif 000002
【図２】
0006019461.tif 000003
【図３】
0006019461.tif 000004
【図４】
0006019461.tif 000005
【図５】
0006019461.tif 000006
【図６】
0006019461.tif 000007
【図７】
0006019461.tif 000008
【図８】
0006019461.tif 000009
【図９】
0006019461.tif 000010
【図１０】
0006019461.tif 000011
【図１１】
0006019461.tif 000012
【図１２】
0006019461.tif 000013
【図１３】
0006019461.tif 000014
【図１４】
0006019461.tif 000015